(57)【特許請求の範囲】
【請求項１】
魚釣りに用いるルアーであって、
外形を魚の形に似せて形成され、長さ方向中央付近において左右方向の一側面が切り欠かれた切欠部を有する第１金属からなるルアー本体と、
前記ルアー本体の切欠部に配置された前記第１金属と比重の異なる第２金属からなる補充部と
を備えたルアー。
【請求項２】
前記ルアー本体及び補充部を長さ方向に貫通するワイヤをさらに備え、
前記ワイヤの両端は前記ルアー本体より突出してそれぞれ釣糸係止部及び釣針係止部となっている、請求項１に記載のルアー。
【発明の詳細な説明】
【０００１】
【発明の属する技術分野】
本発明は、外形を魚体に似せたルアー、特に、鉛等の金属から構成されているメタルジグと呼ばれるルアーに関する。
【０００２】
【従来の技術】
従来のメタルジグと呼ばれるルアーは、外形を魚体に似せた金属製のルアー本体と、ルアー本体頭部に設けられたライン（釣糸）を結束するためのアイ（止め輪）と、ルアー本体の尾部に連結されたフック（釣針）とを有している。釣人が、アイに釣糸を係止して水面の狙ったポイントにこのルアーを投げ入れると、メタルジグはその自重によって素早く沈降する。そして、釣人が釣竿を激しく振り上げるジギングと呼ばれる操作を行うことによって、ルアーが様々なアクションをおこして、魚をおびき寄せる。
【０００３】
【発明が解決しようとする課題】
このジギング操作時にルアーに様々なアクションをおこすためには、ルアーの左右のバランスに微妙な差違があるのが好ましい。このため、従来のルアーにはルアーの左右何れか一方に突起や羽等を設けて変形させ左右側面の流水抵抗を偏らせたものが知られている。
【０００４】
確かに、ルアーの左右形状を変形させることによりよってジギング時のトリッキーなルアーの動きを演出できる。しかし、一方で水中でのルアーの流水抵抗を大きくするため泳動性が低下してしまう。特にメタルジグのようにルアー自体の自重が大きいものにあっては、流水抵抗の増大がリトリーブ，ジギングの操作を著しく困難にさせる。
【０００５】
本発明の課題は、操作性がよく水中で様々なアクションを容易におこすことが可能なルアーを提供することにある。
【０００６】
【課題を解決するための手段】
発明１にかかるルアーは、魚釣りに用いるルアーであって、外形を魚の形に似せて形成され、長さ方向中央付近において左右方向の一側面が切り欠かれた切欠部を有する第１金属からなるルアー本体と、ルアー本体の切欠部に配置された第１金属と比重の異なる第２金属からなる補充部とを備えている。
【０００７】
このルアーは、外形を魚に似せたルアー本体の一部が切欠かれてこの切欠部を埋めるように補充部が配置さており、全体としての外形形状（魚に似せた流線型形状）は保たれている。このため、水中における流水抵抗の増大は殆ど見られない。一方で、切欠部の補充部とルアー本体とは異なる金属から形成されており、ルアーの左右の重量バランスは左右何れかに偏心する。この結果、水中において釣人がジギング等の動作を行うと、ルアーは左右に振れて様々なアクションを容易におこすことになる。なお、切欠部はルアー本体の長さ方向においてはその中央付近に形成されており、ルアーの長さ方向の重心バランスは大きく頭部側または尾部側に偏ることないので安定した水中での泳動をさらに担保できる。
【０００８】
発明２にかかるルアーは、発明１のルアーであって、ルアー本体及び補充部を長さ方向に貫通するワイヤをさらに備えている。そして、このワイヤの両端はルアー本体より突出してそれぞれ釣糸係止部及び釣針係止部となっている。
【０００９】
このルアーでは、ルアー本体及び補充部をワイヤが長さ方向に貫通しており、ルアー本体と補充部との密着安定性を向上させている。さらに、ワイヤの両端がそれぞれ釣糸係止部及び釣針係止部となっているので、釣針に魚がかかってルアーに大きな力が加わった際でも、このワイヤが直接釣糸及び釣針の張力を受けるのでルアーが破損しにくい。
【００１０】
【発明の実施の形態】
［第１実施形態］
以下、本発明の第１実施形態について、図面を参照しつつ説明する。
【００１１】
本発明の第１実施形態を採用したルアーは、図１及び図２に示すように、外形を魚に似せて形成した金属製のルアー本体１と、ルアー本体１の長さ方向中央付近の一側面（ルアーの腹部一側面）に配置された補充部２と、ルアー本体１の頭部に設けられた釣糸係止部３と、ルアー本体１の尾部先端に設けられた釣針係止部４とを有している。そして、この釣針係止部４にはスプリットリング５を介して釣針６が連結されている。
【００１２】
ルアー本体１は真鍮からなり、外形を流線型の魚に似せて形成されている。ルアー本体１の長さ方向中央付近の一側面側は、図２に詳しく示すように椀窪み型に切り欠かれて一部が欠損した切欠部１ａとなっている。また、ルアー本体１の頭部先端及び尾部後端は、ルアー本体を構成する真鍮合金がそのままそれぞれ突出してリング状に形成されており、これが釣糸係止部３と釣針係止部４とになっている。また、ルアー本体１の切欠部１ａに配置される補充部２は、ルアー本体１を構成する真鍮より比重の大きいタングステンからなり、ルアー本体１の欠損部分（切欠部１ａ）を補充してルアー本体１の外形を流線型に保持している。
【００１３】
この補充部２のルアー本体１に対する割合（別の観点から見れば、ルアー本体１における切り欠き部１ａの存在比）は任意に設定し得る。もっとも、ルアー全体の比重を十分に保ちルアーの素早い水中への沈降を担保するためには、ルアー本体１と補充部２とを合わせたルアー全体の比重が１０．０以上になるのが好ましい。例えば、タングステン合金の比重を１３とし、真鍮の比重を９と仮定すれば、タングステン合金（補充部２）３７．５％，真鍮（ルアー本体１）６２．５％の存在比で構成すれば全体の比重を１０．５に担保できる。
【００１４】
このルアー本体１は所定形状の型に真鍮を流し込んで固めることにより形成される。このように形成したルアー本体１の切欠部１ａにさらにタングステン合金を流し入れ固化させることで補充部２を配置し、表面加工を施してルアーを製造する。なお、その他いわゆる鍛造によってルア本体１を製造することもできる。
【００１５】
このように構成されたルアーは、ルアー本体１の一部が切欠かれてこの切欠部１ａを埋めるように補充部２が配置さており、全体としての外形形状（魚に似せた流線型形状）は保たれている。このため、水中における流水抵抗の増大は殆ど見られない。一方で、補充部２はタングステン合金からルアー本体１は真鍮から形成されており、ルアーの長さ方向における重心一はほぼ長さ方向中央付近に位置し、ルアーの左右の重量バランスは補充部２側に偏心する。この結果、水中において釣人がジギング等の動作を行うと、ルアーは左右に振れて様々なアクションを容易かつ機敏におこすことになる。なお、切欠部１ａはルアー本体１の長さ方向においてはその中央付近に形成されており、ルアーの長さ方向の重心バランスは大きく頭部側または尾部側に偏ることないので安定した水中での泳動を担保できる。
【００１６】
また、比較的強度面において乏しいタングステンがルアー本体の長さ方向中央付近に位置しており、障害物に衝突し易いルアーの前後付近は真鍮からなるのでルアーの耐久度も向上する。
【００１７】
［第２実施形態］
以下、本発明の第２実施形態について、図面を参照しつつ説明する。
【００１８】
本発明の第２実施形態を採用したルアーは、図３に示すように、外形を魚に似せて形成した金属製のルアー本体１１と、ルアー本体１１の長さ方向中央付近の一側面（ルアーの腹部一側面）に配置された補充部１２と、ルアー本体１１の頭部から尾部にかけて補充部１２を経て長さ方向に貫通したワイヤ２０と、ワイヤ２０の頭部側端部に設けられた釣糸係止部１３と、ワイヤ２０の尾部側端部に設けられた釣針係止部１４とを有している。そして、この釣針係止部１４にはスプリットリング１５を介して釣針１６が連結されている。
【００１９】
ルアー本体１１は鉛からなり、外形を流線型の魚に似せて形成されている。ルアー本体１１の長さ方向中央付近の一側面側は、側面より左右方向中央付近まで切り欠かれて一部が欠損した切欠部１１ａとなっている。このルアー本体１を貫通するワイヤ２０は金属素線を撚編んだ金属ワイヤであり、両端がルアー本体１の頭部及び尾部より突出するように長さ方向に配置される。ワイヤ２０の両端には金属リングがそれぞれ連結され、この金属リングが釣糸係止部１３及び釣針係止部１４となる。
【００２０】
また、ルアー本体１１の切欠部１１ａに配置される補充部１２は、ルアー本体１を構成する鉛より比重の小さい真鍮からなり、ルアー本体１１の欠損部分（切欠部１１ａ）を補充してルアー本体１１の外形を流線型に保持している。この補充部１２はルアーの左右方向中心付近まで至っており、補充部１２をワイヤ２０が一部貫通する構造となっている。なお、補充部１２のルアー本体１１に対する存在比は実施形態１と同様にルアー全体の比重を考慮して適宜設定可能である。
【００２１】
このルアーは、第１実施形態と同様に、所定の型内にワイヤ２０を配置した上で鉛を流し入れて固化してルアー本体１１を形成し、さらに切欠部１１ａに真鍮を流し入れて固化させることにより製造できる。
【００２２】
このように構成されたルアーは、第１実施形態と同様の作用効果を奏する。さらに、ルアー本体１１及び補充部１２をワイヤ２０が長さ方向に貫通しており、ルアー本体１１と補充部１２との密着安定性を向上させてルアーの耐久性を向上させている。さらに、ワイヤ２０の両端がそれぞれ釣糸係止部１３及び釣針係止部１４となっているので、釣針１６に魚がかかってルアーに大きな力が加わった際でも、このワイヤ２０が直接釣糸及び釣針１６の張力を受けるのでルアーが破損しにくい。
【００２３】
［他の実施形態］
（ａ）ルアー本体の形状は魚の形状に限定されるものではなく、その他様々な流線型状に加工してもよい。
【００２４】
（ｂ）釣糸係止部や釣針係止部は任意の箇所に設けることができる。
【００２５】
（ｃ）用いる金属は上記実施形態にあげるものに限定されるものではなく、その他スチール合金等周知の金属を用いることが可能である。
【００２６】
【発明の効果】
本発明に係るルアーは、操作が容易であると共に簡単に水中で様々なアクションをおこすことができる。
【図面の簡単な説明】
【図１】本発明の第１実施形態を採用したルアーの全体図。
【図２】図１の断面図。
【図３】本発明の第３実施形態を採用したルアーの断面図。
【符号の説明】
１，１１  ルアー本体
２，１２  補充部
３，１３  釣糸係止部
４，１４  釣針係止部
２０  ワイヤ
【図１】
0004205833.tif 000002
【図２】
0004205833.tif 000003
【図３】
0004205833.tif 000004